(57)【要約】【課題】インペラの回転不良を検出するとともに、その回転不良の要因を探索できる還元剤ポンプの異常検出装置を提供する。【解決手段】ポンプ室を内部に形成するポンプケース、及びポンプ室に配置されて電動モータ部により回転駆動するインペラを備え、エンジンの排気中に含まれる窒素酸化物を還元する尿素水（還元剤水溶液）を吐出する尿素水ポンプ（還元剤ポンプ）に適用され、電動モータ部の脱調を検出する脱調検出手段Ｓ１０と、脱調検出手段Ｓ１０により脱調が検出された場合に、ポンプケース内で尿素水中の尿素が析出していることが脱調の要因であるか否かを探索する脱調要因探索手段と、を備えることを特徴とする。【選択図】      図５
2009185685.tif 000002
【特許請求の範囲】
【請求項１】
ポンプ室を内部に形成するポンプケース、及び前記ポンプ室に配置されて電動モータにより回転駆動するインペラを備え、内燃機関の排気中に含まれる窒素酸化物を還元する還元剤水溶液を吐出する還元剤ポンプに適用され、
前記電動モータの脱調を検出する脱調検出手段と、
前記脱調検出手段により脱調が検出された場合に、前記ポンプケース内で前記還元剤水溶液中の還元剤が析出していることが脱調の要因であるか否かを探索する脱調要因探索手段と、
を備えることを特徴とする還元剤ポンプの異常検出装置。
【請求項２】
前記還元剤水溶液が凍結する温度以下となっているか否かを判定する温度判定手段を備え、
前記脱調要因探索手段は、前記温度判定手段により凍結温度以下でないと判定されたことを条件として、前記脱調の要因が前記析出であると判断することを特徴とする請求項１に記載の還元剤ポンプの異常検出装置。
【請求項３】
前記脱調要因探索手段は、前記温度判定手段により凍結温度以下と判定されたことを条件として、前記脱調の要因が前記凍結であると判断することを特徴とする請求項２に記載の還元剤ポンプの異常検出装置。
【請求項４】
前記還元剤ポンプは、前記還元剤水溶液を貯蔵するタンク内に配置されており、
前記タンク内の水位が予め設定された閾値以下となっている低水位であるか否かを判定する水位判定手段を備え、
前記脱調要因探索手段は、前記水位判定手段により前記低水位と判定されたことを条件として、前記脱調の要因が前記析出であると判断することを特徴とする請求項１〜３のいずれか１つに記載の還元剤ポンプの異常検出装置。
【請求項５】
前記水位判定手段により前記低水位との判定から前記低水位でないとの判定に切り替わった後、所定時間が経過するまでは、前記脱調要因探索手段による前記判断を禁止することを特徴とする請求項４に記載の還元剤ポンプの異常検出装置。
【請求項６】
前記脱調検出手段により脱調が検出された場合に、前記電動モータを再起動させる再起動制御手段を備え、
前記脱調要因探索手段は、前記再起動の実行後に再び前記脱調が検出されたことを条件として、前記脱調の要因が前記析出であると判断することを特徴とする請求項１〜５のいずれか１つに記載の還元剤ポンプの異常検出装置。
【請求項７】
前記脱調要因探索手段は、前記再起動の実行後に前記脱調が検出されなかったことを条件として、前記脱調の要因が前記電動モータの起動失敗であると判断することを特徴とする請求項６に記載の還元剤ポンプの異常検出装置。
【請求項８】
前記脱調要因探索手段により前記脱調の要因が前記析出であると判断された後、前記還元剤水溶液を補給してから一定時間が経過するまでは、前記電動モータの起動を禁止することを特徴とする請求項１〜７のいずれか１つに記載の還元剤ポンプの異常検出装置。
【請求項９】
ポンプ室を内部に形成するポンプケース、及び前記ポンプ室に配置されて電動モータにより回転駆動するインペラを備え、内燃機関の排気中に含まれる窒素酸化物を還元する還元剤水溶液を吐出する還元剤ポンプと、
請求項１〜８のいずれか１つに記載の異常検出装置と、
を備えることを特徴とする還元剤吐出システム。
【発明の詳細な説明】
【技術分野】
【０００１】
本発明は、内燃機関の排気中に含まれる窒素酸化物を還元する還元剤水溶液を吐出する還元剤ポンプに関する。
【背景技術】
【０００２】
近年、自動車等に適用される内燃機関（特にディーゼルエンジン）において、排気中のＮＯｘ（窒素酸化物）を還元する選択還元（ＳＣＲ：Selective Catalytic Reduction）型の尿素ＳＣＲシステムの開発が進められており、一部実用化に至っている。
【０００３】
この尿素ＳＣＲシステムでは、内燃機関の排気管に選択還元型のＮＯｘ浄化触媒（ＳＣＲ触媒）が設けられるとともに、その上流側に、還元剤としての尿素水（尿素水溶液）を排気管内に噴射する尿素水噴射弁が設けられている。かかるシステムにおいては、尿素水噴射弁により排気管内に尿素水が噴射されることで、排気と共に尿素水がＮＯｘ浄化触媒に供給され、該ＮＯｘ浄化触媒上でのＮＯｘの還元反応によって排気が浄化される。ＮＯｘの還元に際しては、尿素水が排気熱で加水分解されることによりアンモニア（ＮＨ３）が生成され、ＮＯｘ浄化触媒ではアンモニアにより、酸素濃度が高い環境でもＮＯｘが選択的に還元されることで排気浄化が行われることとなる。
【０００４】
また、このような尿素ＳＣＲシステムでは、タンクに貯蔵された尿素水を尿素水噴射弁に圧送する尿素水ポンプを備えており、当該ポンプは、ポンプ室を内部に形成するポンプケースと、ポンプ室に配置されて電動モータにより回転駆動するインペラとを備えて構成されるのが一般的である（特許文献１等参照）。
【特許文献１】特表２００４−５１００９３号公報
【発明の開示】
【発明が解決しようとする課題】
【０００５】
しかしながら、ポンプ室に尿素水（還元剤水溶液）が充満していない状態でポンプを稼動させずに長時間放置すると、ポンプケース内面やインペラ表面に付着した尿素水の水成分が蒸発することに伴い、その尿素水の尿素成分（還元剤成分）が析出する。すると、析出した尿素成分がインペラをポンプケース内面に固着させてしまい、インペラの回転不良が生じ得る。そして、このような回転不良が生じると、インペラ及びポンプケースが磨耗したり、場合によってはインペラがロックして回転不能となり、インペラの破損を招くこともある。
【０００６】
本発明は、上記課題を解決するためになされたものであり、その目的は、インペラの回転不良を検出するとともに、その回転不良の要因を探索できる還元剤ポンプの異常検出装置を提供することにある。
【課題を解決するための手段】
【０００７】
以下、上記課題を解決するための手段、及びその作用効果について記載する。
【０００８】
請求項１記載の発明では、ポンプ室を内部に形成するポンプケース、及び前記ポンプ室に配置されて電動モータにより回転駆動するインペラを備え、内燃機関の排気中に含まれる窒素酸化物を還元する還元剤水溶液を吐出する還元剤ポンプに適用され、
前記電動モータの脱調を検出する脱調検出手段と、
前記脱調検出手段により脱調が検出された場合に、前記ポンプケース内で前記還元剤水溶液中の還元剤が析出していることが脱調の要因であるか否かを探索する脱調要因探索手段と、
を備えることを特徴とする。
【０００９】
ここで、ポンプケース内で還元剤水溶液中の還元剤が析出し、その析出物がポンプケースとインペラとの間に噛み込んでインペラ回転不良を引き起こしている状態では、インペラへの負荷が異常に大きくなり電動モータの脱調が生じ得る。本発明者らはこの点に着目し、本発明では、電動モータの脱調を検出する脱調検出手段を備えるので、脱調の検出有無に基づきインペラ回転不良の可能性有無を判断できる。しかも本発明では、脱調が検出された場合に前記析出が脱調の要因であるか否かを探索する脱調要因探索手段を備えるので、析出有無を探索結果として取得することができ、その探索結果に応じたインペラ回転不良発生時の異常処理を実行できる。
【００１０】
前記異常処理の具体例としては、還元剤水溶液の補給を促すよう報知する処理が挙げられる。補給された還元剤水溶液により還元剤析出物が溶解すれば、インペラ回転不良を好適に解消できるからである。また請求項８記載の発明の如く、還元剤水溶液を補給してから一定時間が経過するまでは、前記電動モータの起動を禁止する処理等が挙げられる。前記溶解には一定時間を要するからであり、未だ溶解されていない状態で電動モータを起動させることにより、再び脱調してしまうことの回避を図るためである。
【００１１】
なお、このような脱調が生じ得る電動モータの具体例として、ブラシレスモータが挙げられる。また、還元剤の具体例として尿素が挙げられる。この場合の析出とは、尿素水溶液中の尿素成分が析出することである。
【００１２】
ここで、脱調が生じた場合であっても、その要因が還元剤の析出ではなく、ポンプケースとインペラとの間に存在する還元剤水溶液が凍結したことが要因となってインペラ回転不良による脱調が生じている場合がある。この点を鑑み請求項２記載の発明では、前記還元剤水溶液が凍結する温度以下となっているか否かを判定する温度判定手段を備え、前記脱調要因探索手段は、前記温度判定手段により凍結温度以下でないと判定されたことを条件として、前記脱調の要因が前記析出であると判断することを特徴とする。よって、実際の脱調要因が凍結である場合に、析出を脱調要因として誤探索してしまうことを回避できる。
【００１３】
さらに請求項３記載の発明では、前記脱調要因探索手段は、前記温度判定手段により凍結温度以下と判定されたことを条件として、前記脱調の要因が前記凍結であると判断することを特徴とする。よって、脱調要因探索手段は、脱調要因が析出であるか否かの探索に加え、脱調要因が凍結であるか否かの探索も行うことができる。なお、凍結が脱調要因であると探索された場合の異常処理としては、還元剤水溶液が凍結温度より高くなっているかを推定し、内燃機関の熱等により還元剤水溶液の温度が凍結温度より高くなるまで電動モータの起動を禁止する処理等が挙げられる。
【００１４】
ここで、還元剤の析出は還元剤水溶液中の水成分が蒸発することに伴い生じるものであるため、インペラが十分な量の還元剤水溶液中に浸った状態であればインペラでの析出は生じない。この点を鑑み請求項４記載の発明では、前記還元剤ポンプは、前記還元剤水溶液を貯蔵するタンク内に配置されており、前記タンク内の水位が予め設定された閾値以下となっている低水位であるか否かを判定する水位判定手段を備え、前記脱調要因探索手段は、前記水位判定手段により前記低水位と判定されたことを条件として、前記脱調の要因が前記析出であると判断することを特徴とする。よって、インペラが十分な量の還元剤水溶液中に浸った状態（低水位でない状態）であり析出が生じない場合において、析出を脱調要因として誤探索してしまうことを回避できる。
【００１５】
還元剤水溶液が補給されて低水位でない状態になると、補給された還元剤水溶液により還元剤析出物が未だ溶解されておらず、この溶解には一定の時間を要する。そこで請求項５記載の発明では、前記水位判定手段により前記低水位との判定から前記低水位でないとの判定に切り替わった後、所定時間が経過するまでは、前記脱調要因探索手段による前記判断を禁止することを特徴とする。よって、補給したにも拘わらず、例えば還元剤水溶液の補給を促すよう報知する処理等の異常処理が継続して実行されてしまうことを回避できる。
【００１６】
ここで、脱調が生じた場合であっても、その要因が還元剤の析出ではなく、電動モータの起動失敗が要因となって脱調が生じている場合がある。そしてこの場合には、再起動させれば電動モータは正常に起動する可能性が高い。より詳細に説明すると、電動モータ起動時にはモータ位相が不明である。しかしながらロータが少し回転して電流が流れ出せば、位相が確認できてロータが正常に回転する。但し、回転開始時点におけるロータ位置によっては、ロータが少し回転しても電流が流れない場合があり、この場合に上記起動失敗となり脱調する。したがって、起動失敗した場合であっても再起動させれば、再起動開始時点におけるロータ位置は前回の起動開始時点における位置からずれている可能性が高いため、起動失敗となる可能性は低い。
【００１７】
以上の点を鑑み請求項６記載の発明では、前記脱調検出手段により脱調が検出された場合に、前記電動モータを再起動させる再起動制御手段を備え、前記脱調要因探索手段は、前記再起動の実行後に再び前記脱調が検出されたことを条件として、前記脱調の要因が前記析出であると判断することを特徴とする。よって、実際の脱調要因が電動モータの起動失敗である場合に、析出を脱調要因として誤探索してしまうことを回避できる。
【００１８】
さらに請求項７記載の発明では、前記脱調要因探索手段は、前記再起動の実行後に前記脱調が検出されなかったことを条件として、前記脱調の要因が前記電動モータの起動失敗であると判断することを特徴とする。よって、脱調要因探索手段は、脱調要因が析出であるか否かの探索に加え、脱調要因が電動モータの起動失敗であるか否かの探索も行うことができる。
【００１９】
請求項８記載の発明では、前記脱調要因探索手段により前記脱調の要因が前記析出であると判断された後、前記還元剤水溶液を補給してから一定時間が経過するまでは、前記電動モータの起動を禁止することを特徴とする。補給された還元剤水溶液により還元剤析出物が溶解すれば、インペラ回転不良を好適に解消できるものの、前記溶解には一定時間を要する。これに対し上記請求項８記載の発明によれば、補給してから一定時間が経過するまでは電動モータの起動を禁止するので、未だ溶解されていない状態で電動モータを起動させることにより、再び脱調してしまうことを回避できる。
【００２０】
請求項９記載の発明は、上記異常検出装置及び還元剤ポンプを備えることを特徴とする還元剤吐出システムである。この還元剤吐出システムによれば、上述の各種効果を同様に発揮することができる。
【発明を実施するための最良の形態】
【００２１】
以下、本発明を具体化した一実施形態を図面に基づいて説明する。本実施形態にかかる還元剤ポンプは、還元剤として尿素を用いた尿素水溶液（以下、単に尿素水と呼ぶ）を吐出する尿素水ポンプに適用されており、当該尿素水ポンプから吐出された尿素水は噴射弁に加圧圧送される。噴射弁は、内燃機関としてディーゼルエンジン（以降、エンジンと呼称する）の排気通路内における排気流れ中に、尿素水を噴射するように配設される。
【００２２】
図１は、本実施形態における尿素ＳＣＲシステムの全体構成を示す全体構成図である。この全体構成図には、自動車（図示略）のエンジンにより排出される排気を浄化対象とした排気浄化装置が示される。排気浄化装置の構成を大別すると、排気系の構成部、尿素水供給系の構成部、および、制御系の構成部に分類される。
【００２３】
排気系の構成部は、排気上流側から順に配設される、ＤＰＦ１（Diesel Particulate Filter）、排気管２（触媒の上流側排気通路）、触媒３、および、排気管４（触媒の下流側排気通路）を備えている。ＤＰＦ１は、排気中のＰＭ（Particulate Matter、粒子状物質）を捕集する連続再生式のＰＭ除去用フィルタであり、例えばメインの燃料噴射後のポスト噴射等で捕集ＰＭを繰り返し燃焼除去する（ＰＭ除去用フィルタの再生処理に相当）ことにより継続的に使用することができる。また、ＤＰＦ１は、図示しない白金系の酸化触媒を担持しており、ＰＭ成分の１つである可溶性有機成分（ＳＯＦ）と共に、ＨＣやＣＯを除去することができる。
【００２４】
触媒３は、ＮＯｘの還元反応を促進し排気を浄化する部位であり、例えば、
４ＮＯ＋４ＮＨ3＋Ｏ2→４Ｎ2＋６Ｈ2Ｏ  …（式１）
６ＮＯ2＋８ＮＨ3→７Ｎ2＋１２Ｈ2Ｏ  …（式２）
ＮＯ＋ＮＯ2＋２ＮＨ3→２Ｎ2＋３Ｈ2Ｏ  …（式３）
このような反応を促進して排気中のＮＯｘを還元する。そして、これらの反応においてＮＯｘの還元剤となるアンモニア（ＮＨ3）を含む水溶液（以降、尿素水と呼称する）は、排気と混合されて触媒３に供給される。具体的には、尿素水は、触媒３の上流側の排気管２を流通する排気に向けて、後述する噴射弁により噴射供給される。
【００２５】
尿素水供給系の構成部は、尿素水供給部５、噴射弁６、及び配送管７等を備え、尿素水供給部５は、尿素水タンク８及び尿素水ポンプ９（還元剤ポンプ）等を備えている。なお、図１に示す尿素水タンク８は車両に搭載した状態を示しており、尿素水タンク８及び尿素水ポンプ９の上下方向は、車両に搭載された状態において図１に示す向きとなっている。
【００２６】
尿素水タンク８内の尿素水は、フィルタ９ａを通じて尿素水ポンプ９に吸入されて加圧圧送される。その後、レギュレータ９ｂによりその吐出圧力が調整された後、配送管７を通じて噴射弁６に供給される。噴射弁６の先端に形成される噴射口は、１つの噴射口、あるいは、多数の微噴孔の集合体（群噴孔）によって構成される。そして、噴射口を開閉させるニードル弁を電磁アクチュエータにより開弁操作すると、噴射弁６に供給された尿素水は、霧状化して排気管２中に噴射される。なお、尿素水ポンプ９からの供給圧力がレギュレータ９ｂの設定値を超えた場合には、同レギュレータ９ｂにより、配送管７内の尿素水が尿素水タンク８へ戻される。
【００２７】
尿素水タンク８は、給液キャップ付きの密閉容器にて構成されており、その内部に所定濃度の尿素水が貯蔵されている。尿素水タンク８内には、尿素水に浸漬した状態として配設した尿素水ポンプ９が設けられており、尿素水ポンプ９は、インタンク式の圧送ポンプを構成するとともに、ＥＣＵ１０（異常検出装置）からの駆動信号により回転駆動する電動式ポンプである。なお、尿素水ポンプ９の詳細構成については、図２等を用いて後に詳述する。
【００２８】
制御系の構成部は、ＥＣＵ１０（電子制御ユニット）、クランク角センサ１１、アクセル操作量センサ１２、排気センサ１３、水位センサ１４、圧力センサ１５などによって構成される。ＥＣＵ１０は、周知のマイクロコンピュータを備え、各種センサ１１，１２，１３，１４，１５からの検出値が入力されるとともに、これらの検出値に基づいて、尿素水ポンプ９及び噴射弁６などの各種アクチュエータの駆動量等を制御する。
【００２９】
クランク角センサ１１は、クランク軸（出力軸）の回転角度を検出することで、クランク軸の回転速度（エンジン回転速度）を検出する。アクセル操作量センサ１２は、運転者によるアクセルペダルの操作量を検出することで、要求されるエンジン負荷を検出する。排気センサ１３は、触媒３の下流側の排気管４に設けられており、ＮＯｘセンサと排気温センサとが共に内蔵され、排気中のＮＯｘ量（ひいては触媒３によるＮＯｘの浄化率）、及び排気温度を検出する。水位センサ１４は、尿素水タンク８に設けられ、尿素水タンク８内の尿素水の水位を検出する。圧力センサ１５は、配送管７の途中に設けられ、噴射弁６に対する尿素水の供給圧力を検出するように構成される。
【００３０】
具体的には、ＥＣＵ１０は、クランク角センサ１１にて検出されたエンジン回転速度、及びアクセル操作量センサ１２により検出されたアクセル操作量に基づき、噴射弁６からの尿素水噴射量を算出する。そして、算出した噴射量となるよう、噴射弁６を開弁作動させる電磁弁に駆動電流を出力するよう制御する。また、排気センサ１３にて検出されたＮＯｘ量が所望の量となるよう、上述の如く算出した噴射量をフィードバック補正する。さらにＥＣＵ１０は、水位センサ１４及び圧力センサ１５の検出値に基づき尿素水ポンプ９の駆動を制御する（詳細は後述）。
【００３１】
本実施形態に係る上記した構成の尿素ＳＣＲシステムは、エンジン運転時において、尿素水ポンプ９の駆動により尿素水タンク８の尿素水が配送管７を通じて噴射弁６に圧送され、この噴射弁６により排気管２内に尿素水が添加供給される。すると、排気管２内において排気と共に尿素水がＳＣＲ触媒３に供給され、ＳＣＲ触媒３においてＮＯｘの還元反応が行われることによってその排気が浄化されるように構成される。
【００３２】
ＮＯｘの還元に際しては、例えば、
（ＮＨ2）2ＣＯ＋Ｈ2Ｏ→２ＮＨ3＋ＣＯ2    …（式４）
このような反応により、尿素水が排気熱で加水分解される。これにより、アンモニア（ＮＨ3）が生成され、ＳＣＲ触媒３にて選択的に吸着された排気中のＮＯｘに対し、このアンモニアが添加される。そして、触媒３上で、そのアンモニアに基づく還元反応（上記反応式（式１）〜（式３））が行われることによって、ＮＯｘが還元、浄化されることになる。
【００３３】
次に、尿素水ポンプ９の単体構造について、図２〜図４を用いて詳細に説明する。
【００３４】
図２に示すように、尿素水ポンプ９は、尿素水を圧送する機構部を有するポンプ部１８と、機構部が尿素水を圧送するように駆動する駆動力を発生させる電動モータ部１９（特許請求の範囲に記載の電動モータに相当）とを備えている。ポンプ部１８は、ポンプケース及びインペラ２２からなる渦流ポンプである。ポンプケースは、アッパケース２０とロアケース２１との２部材を接合させ、その接合される合わせ面の内側に、その室を区画する区画面が臨むように配されるポンプ室としての空間を形成する。この空間との相対位置が規定される回転部材としてのインペラ２２を回転自在に収容する。
【００３５】
図３はインペラ２２単体を示す斜視図であり、円板状に形成されたインペラ２２には、回転方向に複数の羽根溝２２ａが設けられ、それら羽根溝２２ａの回転径方向外側に環状の外周部２２ｂが形成されている。また、アッパケース２０及びロアケース２１のうち羽根溝２２ａに対向する部分には、それぞれＣ字状のポンプ通路２３（図２参照）が形成されている。インペラ２２を回転させると、羽根溝２２ａ内の尿素水はポンプ通路２３に流出した後、別の羽根溝２２ａ内に流入する。
【００３６】
インペラ２２両側の各々のポンプ通路２３において、このような尿素水の流出及び流入を羽根溝２２ａ同士で多数繰り返すことにより、ポンプ室内の尿素水は旋回流となって両ポンプ通路２３で昇圧される。ロアケース２１に設けられた吸入口２４から吸入された尿素水は、インペラ２２の回転動作によりポンプ通路２３で昇圧され、後述する電動モータ部１９に圧送される。
【００３７】
なお、アッパケース２０及びロアケース２１は金属製であり、例えば、尿素水に対する耐腐食性に優れた材質（例えばステンレス）にて形成され、インペラ２２は樹脂（例えばフェノール樹脂）にて形成されている。
【００３８】
電動モータ部１９は、ステータ２５、ロータ２６、回転軸２７等を備えた直流のブラシレスモータであり、通電されて尿素水を圧送する駆動力を発生するよう機能する。図４は、ステータ２５及びステータ２５をモールドする絶縁樹脂材４５を示す縦断面図であり、この図４に示すように、ステータ２５は６個の分割コア２５ａを周方向に配置して構成されている。各分割コア２５ａは、絶縁皮膜を施した磁性鋼板を回転軸方向（図２の上下方向）に積層して一体に構成されている。ＥＣＵ１０は、ロータ２６の回転位置に応じてコイル２９への通電を制御することにより、ロータ２６と向き合う各分割コア２５ａの内周面に形成される磁極を切り換える。
【００３９】
ロータ２６は、回転軸２７および永久磁石３１を有し、ステータ２５の内周に回転自在に設置されている。回転軸２７の一端部は軸受部３２により、他端部は軸受部３３により回転自在に支持されている。なお、回転軸２７の一端部側をピン部３５に押接することで、回転軸２７は軸方向に位置決めされる。
【００４０】
永久磁石３１は、ＰＰＳ等の熱可塑性樹脂材に磁性粉を練り込んで円筒状に形成されたプラスティックマグネットであり、回転軸２７の外周に射出成形等により直接形成されている。永久磁石３１は、回転方向に８個の磁極部を形成している。これらの磁極部は、ステータコア３０と向き合う外周面側に回転方向に交互に異なる磁極を形成するように着磁されている。
【００４１】
ハウジング３６は、ポンプ部１８および電動モータ部１９の両方のハウジングを兼ねている。ハウジング３６は金属製であり、軸方向の両端で、ロアケース２１およびエンドカバー３７をそれぞれかしめて形成される。アッパケース２０は、ハウジング３６の段部３６ａに軸方向に突き当てられている。これにより、アッパケース２０の軸方向の位置決めがなされている。アッパケース２０の中央部には、先述した軸受部３２が圧入により固定されている。ロアケース２１は、ハウジング３６の一端側でかしめ固定されており、このかしめにより生じる軸力により、アッパケース２０と段部３６ａ、ならびにロアケース２１とアッパケース２０とが互いに軸方向に押し付けられる面圧を確保し、尿素水をシールしている。
【００４２】
電動モータ部１９側に圧送された尿素水は、ステータ２５とロータ２６との間の流通路３８、吐出通路３９の順に送出され、吐出口４０から噴射弁６側に供給される。エンドカバー３７から外部に開口する吐出通路３９の吐出口４０は、軸受部３３に対して偏心して形成されている。
【００４３】
前述したコイル２９は絶縁樹脂材４５により樹脂モールドされており、絶縁樹脂材４５は、ステータ２５に対してポンプ部１８と反対側の端部を覆うエンドカバー３７を一体成形している。エンドカバー３７は、回転軸２７を軸受けする軸受部３３と、ターミナル４３の支持部と、吐出口４０とを、絶縁樹脂材４５により一体に成形して構成されている。
【００４４】
エンドカバー３７が形成する吐出口４０内には、逆止弁４７及びスプリング４８が収容されている。ポンプ部１８で昇圧された尿素水が所定圧以上になると、逆止弁４７はスプリング４８の荷重に抗してリフトし、吐出口４０から尿素水が噴射弁６側に吐出される。また、逆止弁４７は、尿素水ポンプ９から吐出される尿素水の逆流を防止するように設けられる。
【００４５】
ところで、尿素水タンク８に貯蔵されている尿素水の水位が、ロアケース２１に設けられた吸入口２４の下端位置（図１及び図２中の一点鎖線Ｗに示す高さ）より低い場合には、吐出通路３９、流通路３８及びポンプ室等のポンプ内の尿素水は、インペラ２２の回転を停止させると同時に、吸入口２４から尿素水タンク８に流出することとなる。そして、このようにポンプ室に尿素水が充満していない状態で尿素水ポンプ９を稼動させずに長時間放置すると、インペラ２２の上下面２２ｃ及び外周面２２ｄ（図３参照）やポンプケース２０，２１の内面に付着した尿素水の水成分が蒸発することに伴い、その尿素水の尿素成分が析出する。
【００４６】
そして、ポンプケース２０，２１とインペラ２２とのクリアランスにて、上述の如く尿素成分が析出すると、その析出尿素成分がインペラ２２をポンプケース２０，２１内面に固着させてしまい、インペラ２２の回転不良を招き、場合によってはインペラ２２が回転不能となるインペラロックとなる。特に本実施形態の如くインペラ２２が樹脂製である場合には、インペラロックした状態で電動モータ部１９のコイル２９に電力供給すると、インペラ２２の破損が懸念される。このようなインペラ回転不良による異常を検出すべく、本実施形態では以下に説明する異常検出処理を行う。この異常検出処理では、インペラ回転不良を招いた要因を探索する要因探索処理をも行っている。
【００４７】
図５及び図６は、ＥＣＵ１０のマイコンが実行する前記異常検出及び要因探索の処理内容を示すフローチャートであり、これら図５及び図６に示す一連の処理は、ターミナル４３から電動モータ部１９に電力供給して尿素水ポンプ９を起動させたことをトリガとして、所定周期（例えば先述のＣＰＵが行う演算周期）毎に繰り返し実行される。本実施形態では、エンジン始動とともに尿素水ポンプ９を起動させ、エンジン運転中は尿素水ポンプ９を常時運転させる。そして、噴射弁６から噴射をさせない期間中、尿素水ポンプ９から過剰に吐出された尿素水は、レギュレータ９ｂから尿素水タンク８へ戻されることとなる。
【００４８】
尿素水ポンプ９の起動についてさらに詳細に説明すると、コイル２９はＵ相、Ｖ相、Ｗ相による３相に分かれており、ＥＣＵ１０によってスイッチングされることにより、ターミナル４３から各相のコイル２９への通電が制御される。これにより、各相の巻線２９に発生する磁極が切り替えられて回転磁界が生じる。そして、このように回転磁界を生じさせるステータ２５と所定のギャップを介して配置されたロータ２６は、回転磁界の回転速度（同期速度）と同期して回転することとなる。そして、インペラ２２への回転負荷が異常に大きくなると、ロータ２６の回転速度が実際の同期速度と一致しなくなる所謂「脱調」が生じ得る。
【００４９】
図５の処理について、先ずステップＳ１０（脱調検出手段）では、このような脱調現象が生じているか否かを判定する。具体的には、コイル２９の各相に流れる電流を電流センサ１６（図１参照）により検出し、各相を流れる電流検出値に基づき脱調有無を判定する。脱調有りと判定した場合（Ｓ１０：ＹＥＳ）には、インペラ２２への回転負荷が異常に大きくなっているインペラ回転不良による異常、或いは、電動モータ部１９の起動失敗による異常が発生していると判断する。そして、ステップＳ１１以降の処理（脱調要因探索手段）により脱調の要因を探索する。なお、脱調無しと判定した場合（Ｓ１０：ＮＯ）には、脱調要因を探索することなくそのまま尿素水ポンプ９の運転を継続させる。
【００５０】
続くステップＳ１１（脱調要因探索手段）では、尿素水が凍結する温度以下となっているか否かを判定する。具体的には、尿素水タンク８内に配置された温度センサ１７（図１参照）により、タンク８内の尿素水温度を検出する。或いは、尿素水温度と相関のある温度（例えば外気温度等）を検出し、その相関温度に基づき尿素水温度を推定するようにしてもよい。そして、このような検出又は推定により得られた温度が凍結温度以下となっているか否かを判定する。
【００５１】
次に、脱調要因が凍結であるか否かの判断について説明する。
【００５２】
尿素水温度が凍結温度以下であると判定した場合（Ｓ１１：ＹＥＳ）には、図６に示すステップＳ３０に進み、ステップＳ１０にて検出された脱調の要因が、以下に説明する凍結であると判断する。すなわち、ポンプケース２０，２１により形成されたポンプ室内の尿素水が凍結して、インペラ２２が回転不能状態となっていることにより、先述の如くインペラ２２への回転負荷が異常に大きくなっていると判断する。
【００５３】
続くステップＳ３１では、図示しないダイアグランプを点灯させる等により、尿素水ポンプ９が異常である旨を車両乗員（エンジン運転者）に報知する。また、電動モータ部１９への電力供給を直ちに停止させて、尿素水ポンプ９を停止させる。これにより、インペラ２２の破損回避を図る。
【００５４】
ここで、尿素水タンク８はエンジンルーム内に配置されているため、エンジンの始動後は雰囲気温度上昇に伴い尿素水温度も上昇する。よって、ステップＳ３０にて凍結判断された場合であっても、その後尿素水温度が上昇して凍結した尿素水が溶けて液体になることが考えられる。そこで、続くステップＳ３２では、温度センサ１７による検出又は前述の推定により得られた尿素水温度が凍結温度以下となったか否かを判定する。
【００５５】
尿素水温度が凍結温度以下であると判定（Ｓ３２：ＹＥＳ）される限り、処理はステップＳ３２に留まることとなる。つまり、脱調要因の探索及び尿素水ポンプ９の運転を禁止した状態となる。一方、尿素水温度が凍結温度より高くなったと判定した場合（Ｓ３２：ＮＯ）には、凍結が解消されたと判断し、ステップＳ３１にて点灯させたダイアグランプをステップＳ５０にて消灯させる。
【００５６】
次に、ステップＳ１１に係る判定処理の説明に戻り、脱調要因が析出であるか否かの判断について説明する。
【００５７】
尿素水温度が凍結温度より高いと判定した場合（Ｓ１１：ＮＯ）には、脱調の要因として上記凍結の可能性はないと判断してステップＳ１２の処理に進む。ステップＳ１２（脱調要因探索手段）では、尿素水タンク８内の液量が少なく、ポンプ室に尿素水が充満していない状態であるか否かを判定する。具体的には、水位センサ１４の検出値を取得し、取得した検出値（水位）が予め設定された閾値より小さい場合に、ポンプ室に尿素水が充満していないと判定する。前記閾値は、尿素水ポンプ９の吸入口２４の下端位置Ｗに設定されている。
【００５８】
尿素水タンク８内の液量が少ないと判定した場合（Ｓ１２：ＹＥＳ）には、続くステップＳ１３において、ステップＳ１０にて検出された脱調の要因が、先に説明した尿素成分の析出、或いは電動モータ部１９の起動失敗である可能性があると判断する。
【００５９】
ここで、ステップＳ１０にて脱調を検出し（Ｓ１０：ＹＥＳ）、凍結温度より高く（Ｓ１１：ＮＯ）、尿素水タンク８内の液量が少ない場合（Ｓ１２：ＹＥＳ）であっても、脱調要因が析出ではなく、電動モータ部１９の起動失敗により脱調検出されている可能性がある。そしてこの場合には、電動モータ部１９を再起動させれば正常に起動して脱調が検出されなくなる可能性が高い。
【００６０】
この点を鑑み、続くステップＳ１４では、尿素水ポンプ９の運転を一旦停止させ、その後尿素水ポンプ９を再起動させる。つまり、ターミナル４３から電動モータ部１９への通電を一旦停止させ、その後再び通電して再起動させる。その後ステップＳ１５（脱調要因探索手段）において、ステップＳ１０と同様にして脱調現象が生じているか否かを判定する。
【００６１】
この再起動により脱調が検出されなくなった場合（Ｓ１５：ＮＯ）には、図５の処理開始に先立つ尿素水ポンプ９の起動処理では起動失敗したが、ステップＳ１４での再起動では正常に起動して復帰したと判断する（ステップＳ１６）。その後、脱調要因を探索することなくそのまま尿素水ポンプ９の運転を継続させる。
【００６２】
一方、ステップＳ１４での再起動を行っても未だ脱調が検出される場合（Ｓ１５：ＹＥＳ）には、続くステップＳ１７において脱調要因が析出であると判断する。すなわち、析出成分がインペラ２２をポンプケース２０，２１内面に固着させ、インペラ２２が回転不良状態又は回転不能状態となっていることにより、先述の如くインペラ２２への回転負荷が異常に大きくなっていると判断する。
【００６３】
続くステップＳ１８では、図示しないダイアグランプを点灯させる等により、尿素水ポンプ９が異常である旨を車両乗員（エンジン運転者）に報知する。この報知においては、尿素水タンク８への尿素水補給を促すよう報知することが望ましい。また、電動モータ部１９への電力供給を直ちに停止させて、尿素水ポンプ９を停止させる。これにより、インペラ２２の破損回避を図る。
【００６４】
続くステップＳ１９では、尿素水タンク８への尿素水補給が充分になされたか否かを判定する。具体的には、水位センサ１４の検出値を取得し、取得した検出値（水位）が予め設定された閾値より大きい場合に補給が充分であると判定する。本ステップＳ１９で用いる閾値は、ステップＳ１２で用いる閾値と同じで吸入口２４の下端位置Ｗに設定してもよいし、下端位置Ｗよりも高い位置に設定してもよい。
【００６５】
続くステップＳ２０では、ステップＳ１９にて補給充分と判定された時点から、予め設定された一定の時間が経過したか否かを判定する。一定時間経過が判定されなければ（Ｓ２０：ＮＯ）、処理はステップＳ２０に留まることとなる。つまり、脱調要因の探索及び尿素水ポンプ９の運転を禁止した状態となる。一方、一定時間経過が判定されれば（Ｓ２０：ＹＥＳ）、析出が解消されたと判断し、ステップＳ１８にて点灯させたダイアグランプをステップＳ２１にて消灯させる。
【００６６】
次に、脱調要因が尿素水ポンプ９の故障であるか否かの判断について説明する。
【００６７】
先述のステップＳ１２において、尿素水タンク８内の液量が少なくないと判定した場合（Ｓ１２：ＮＯ）には、図６のステップＳ４０に進む。このステップＳ４０では、ステップＳ１０にて検出された脱調の要因が、以下に説明する異物噛み込み、或いは電動モータ部１９の起動失敗である可能性があると判断する。すなわち、尿素水による析出物以外の異物であって尿素水中に混入していた異物が、ポンプケース２０，２１とインペラ２２とのクリアランスに噛み込んでいることが要因となって、インペラ２２の回転不良を生じさせている可能性があると判断する。
【００６８】
続くステップＳ４１では、尿素水ポンプ９の運転を一旦停止させ、その後尿素水ポンプ９を再起動させる。つまり、ターミナル４３から電動モータ部１９への通電を一旦停止させ、その後再び通電して再起動させる。その後ステップＳ４２（脱調要因探索手段）において、ステップＳ１０と同様にして脱調現象が生じているか否かを判定する。
【００６９】
この再起動により脱調が検出されなくなった場合（Ｓ４２：ＮＯ）には、図５の処理開始に先立つ尿素水ポンプ９の起動処理では起動失敗したが、ステップＳ４１での再起動では正常に起動して復帰したと判断する（ステップＳ４３）。その後、脱調要因を探索することなくそのまま尿素水ポンプ９の運転を継続させる。一方、ステップＳ４１での再起動を行っても未だ脱調が検出される場合（Ｓ４２：ＹＥＳ）には、続くステップＳ４４において脱調要因が異物噛み込み又は尿素水ポンプ９の故障であると判断する。
【００７０】
続くステップＳ４５では、図示しないダイアグランプを点灯させる等により、尿素水ポンプ９が故障している旨を車両乗員（エンジン運転者）に報知する。この報知においては、尿素水ポンプ９の交換を促すよう報知することが望ましい。また、電動モータ部１９への電力供給を直ちに停止させて、尿素水ポンプ９を停止させる。これにより、インペラ２２の破損回避を図る。
【００７１】
以上詳述した本実施形態によれば、以下の効果が得られるようになる。
【００７２】
（１）ステップＳ１０における脱調有無の判定結果に基づき、インペラ２２回転不良の可能性有無を判断でき、脱調が検出された場合に尿素成分析出が脱調の要因であるか否かを探索するので、析出有無を探索結果として取得することができ、その探索結果に応じたインペラ回転不良発生時の異常処理（Ｓ１８，Ｓ３１，Ｓ４５）を実行できる。
【００７３】
（２）尿素水析出以外の脱調要因として、尿素水凍結、異物噛み込み又は尿素水ポンプ９の故障、電動モータ部１９の起動失敗が挙げられる。そこで本実施形態では、脱調要因を探索するにあたり、ステップＳ１１，Ｓ１２，Ｓ１５の条件を満たした場合に脱調要因が析出であると判断する。つまり、尿素水が凍結温度以下でなく（Ｓ１１：ＮＯ）、尿素水タンク８内の液量が充分であり（Ｓ１２：ＹＥＳ）、尿素水ポンプ９を再起動させても脱調が解消されない（Ｓ１５：ＹＥＳ）、との条件を満たした場合に析出有りと判断する。
【００７４】
よって、尿素水凍結（Ｓ１１：ＹＥＳ）、異物噛み込み又は尿素水ポンプ９の故障（Ｓ１２：ＮＯ）、及び電動モータ部１９の起動失敗（Ｓ１５：ＮＯ）による脱調の場合に、析出を脱調要因として誤って判断してしまうおそれを回避でき、脱調要因の探索精度を向上できる。しかも、脱調要因が析出であるか否かを検出するのみならず、尿素水凍結、異物噛み込み又は尿素水ポンプ９の故障、及び電動モータ部１９の起動失敗であるか否かをも検出できる。
【００７５】
（３）尿素水の補給に伴い、水位センサ１４の検出値がステップＳ１９での判定で閾値より大きくなるよう変化した場合には、尿素水補給後、析出物の溶解に要する一定時間が経過するまでは脱調要因の探索及び尿素水ポンプ９の運転を禁止する（ステップＳ２０）。これにより、尿素水が補給された後であっても、析出物が未だ溶解されていない状態での電動モータ部１９の起動が禁止されるので、再び脱調してしまうことの回避、及びインペラ２２の破損回避を図ることができる。
【００７６】
（４）ステップＳ３０にて尿素水凍結と判断された後、エンジンの暖機運転に伴い温度センサ１７の検出値が凍結温度より大きくなるまでは、脱調要因の探索及び尿素水ポンプ９の運転を禁止する（ステップＳ３２）。これにより、尿素水が凍結した状態での電動モータ部１９の起動が禁止されるので、再び脱調してしまうことの回避、及びインペラ２２の破損回避を図ることができる。
【００７７】
（他の実施形態）
上記各実施形態は、以下のように変更して実施してもよい。また、本発明は上記実施形態の記載内容に限定されず、各実施形態の特徴的構造をそれぞれ任意に組み合わせるようにしてもよい。
【００７８】
・上記実施形態では、本発明に係る還元剤ポンプを尿素水ポンプに適用させているが、本発明はこのような尿素水ポンプに限定されるものではなく、例えば、還元剤として尿素水を排気中に添加することに替え、還元剤として炭化水素（ＨＣ）を添加するようにした内燃機関において、その炭化水素を噴射弁に圧送するポンプに本発明に係る還元剤ポンプを適用するようにしてもよい。
【００７９】
・上記実施形態では、ステップＳ３０にて凍結と判断された場合の異常処理として、尿送水温度が凍結温度より高くなるまで尿素水ポンプ９の運転禁止を行っているが、他の異常処理として、尿素水を加熱する手段（例えば電気ヒータ）を備え、加熱手段を作動させるようにしてもよい。
【００８０】
・上記実施形態では本発明に係る電動モータとして直流ブラシレスモータを適用させているが、脱調が生じ得るモータであればこのような直流ブラシレスモータに限定されるものではない。
【図面の簡単な説明】
【００８１】
【図１】本発明の一実施形態に係る尿素水ポンプ（還元剤ポンプ）が適用された、尿素ＳＣＲシステムの全体構成を示す図。
【図２】図１に示す尿素水ポンプの詳細構成図。
【図３】図２に示すインペラの単体構造を示す斜視図。
【図４】図２のＩ−Ｉ断面図。
【図５】図１に示すＥＣＵが実行する、異常検出及び要因探索の処理内容を示すフローチャート。
【図６】図１に示すＥＣＵが実行する、異常検出及び要因探索の処理内容を示すフローチャート。
【符号の説明】
【００８２】
９…尿素水ポンプ（還元剤ポンプ）、１０…ＥＣＵ（異常検出装置）、１９…電動モータ部（電動モータ）、２０…アッパケース（ポンプケース）、２１…ロアケース（ポンプケース）、２２…インペラ、Ｓ１０…脱調検出手段、Ｓ１１…温度判定手段、Ｓ１２…水位判定手段、Ｓ１４，Ｓ４１…再起動制御手段。
【図１】
2009185685.tif 000003
【図２】
2009185685.tif 000004
【図３】
2009185685.tif 000005
【図４】
2009185685.tif 000006
【図５】
2009185685.tif 000007
【図６】
2009185685.tif 000008